(57)【要約】      （修正有）【課題】図書館や旅先へ持って行って読書するときに嵩張る荷物にならないように折畳み式になった軽い携帯用の書見台で、両手を自由にして読書できる書見台を提供する。【解決手段】書見板１と基板２及び支持板３の３枚の板から構成され、携帯時には二つに折畳めるようになった書見台で、書見板１の中に設けた三つの切り欠き部１・４のいずれかに、支持板３に設けられた嵌挿突起部１・８を嵌挿することによって書見板１の傾斜角度を３段階に調節して書見台に組み立てられ、書見板１の下方部において折り出されて固定された書載台１０の上に本を載置して、その上で左右に見開いた本のページ部を移動自在のバインダーで書見板１に留めることを可能とする。【選択図】図５
0003165771.tif 000002
【実用新案登録請求の範囲】
【請求項１】
本考案は、書見板（１）、基板（２）及び支持板（３）からなる一枚板の折畳式書見台で、書見台の基礎になる基板（２）の底面を机上に置き、書見板（１）を後方へ向け立ち上げ、書見板（１）を後方から支える支持板（３）を手前に折り曲げ、支持板（３）の上部に設けられた嵌挿突起部１（８）を書見板（１）内に設けられた三つの切り欠き部１（４）のいずれかの切り欠き部に嵌挿することによって上記書見板（１）、基板（２）及び支持板（３）の３枚の板を立体的な書見台へと組み立てられる書見台であり、書見板（１）内に設けられた書載台（１０）及びそれを支える書載台の支持板（１１）を手前へ折り曲げ、書載台の支持板（１１）内に設けられた嵌挿突起部２（９）を書見板（１）内に設けられた切り欠き部２（５）に嵌挿して書見板（１）に直角に固定された書載台（１０）とし、その上に本の底（地）を載置できるようにした書見台。
【請求項２】
本考案は、組み立てた書見台の書載台（１０）の上に本の底（地）を載置して、そこで左右に見開いた本のページ部（１２）が閉じられないように、そのページ部（１２）を書見板（１）の適宜な場所に留める用具である移動自在バインダー (１３）を装備した請求項１記載の書見台。
【請求項３】
本考案は、書見台を折畳んで携行する時に、請求項２記載の移動自在バインダー (１３）を収納するための移動自在バインダー収納空間部（１９）を基板（２）及び支持板（３）の中に設けた請求項１記載の書見台。
【考案の詳細な説明】
【技術分野】
【０００１】
本考案は、本を読む者が額を俯けにしたりせず、目や首、肩や手に負担とならない自然で楽な姿勢で且つ両手を自由にして読書することを可能にする書見台で、軽くしかも嵩張らず、手軽に図書館や旅先に携行することができる折畳式の書見台に関する。  
【背景技術】
【０００２】
従来の書見台は、立体的であり図書館や旅先へ携行するには嵩張ったり重かったりしてそれなりの荷物になる。
【０００３】
従来の携帯用書見台は、本の保持や見開きページの固定に安定感を欠いたりその構造が複雑なものが多い。
【０００４】
【特許文献１】特開２００６−１５００１４号公報実開昭６２−０９８５３２号公報実登３０６５６８６号公報
【考案の開示】
【考案が解決しようとする課題】
【０００５】
解決しようとする課題は、従来の書見台は立体的で、気軽に図書館や旅先へ持っていけるようになっておらず、仮に携帯用のものでも、その構造が複雑で、本のページ押さえも確実には行えず安定感に欠け、気軽に本の上に手を載せて線を引いたり余白にメモを入れたりできない。
【課題を解決するための手段】
【０００６】
本考案の書見台は、携帯時には2つに折り畳める３枚の板からなる書見台で、本を載せる書見板（１）と書見台の基礎になる基板（２）、書見板（１）を後方から支える支持板（３）、書見板（１）内に設けられた折畳み式の書載台（１０）及びそれを下から支える書載台の支持板（１１）から構成されている。
【０００７】
図１は全開して机上に置いた一枚の板の平面図（組立てたときの書見台の内側の面となる。）で、ほぼ縦長方形の一枚板の中央の折り曲げ部１（１４）を境に、その下半部を書見板（１）とし、折り曲げ部１（１４）の上半部の折り曲げ部２（１５）の上半部を支持板（３）、折り曲げ部２（１５）の下半部を基板（２）とする。
【０００８】
図１の折り曲げ部１（１４）で書見板(１)を上へ折って立ち上げて、折り曲げ部２（１５）で支持板（３)を手前に折り曲げて、支持板（３）内の嵌挿突起部１（８)を書見板（１）内の切り欠き部１(４）の一つに嵌挿、固定することによって一枚の平板を立体的な書見台にする。
【０００９】
上記０００８で立体的な書見台とした後、書見板（１）の中の書載台（１０）及び書載台の支持板（１１）を折り曲げ部３（１６）及び折り曲げ部４（１７）で手前に折畳み、書載台の支持板（１１）内に設けられて嵌挿突起部２（９）を書見板（１）内の下部に設けられた切り欠き部２（５）に嵌挿して書載台（１０）を書見板（１）に直角に固定する。
【００１０】
支持板（３）内の嵌挿突起部１（８）を書見板（１）内の三つの切り欠き部１のいずれかの切り欠き部１（４）に嵌挿して固定させて書見板（１）の傾斜角度を３段階に調節する。
【００１１】
本考案の書見台は、書載台（１０）の上に載置して見開いた本のページ部（１２）を、書見板（１）の適宜な場所で固定するための用具である移動自在バインダー（１３）を装備する。
【００１２】
本考案の書見台は、折畳み式の携帯用となっており、折畳み時に、移動自在バインダー（１３）を収納する移動自在バインダー収納空間部（１９）を基板（２）及び支持板（３）内に切り欠いて設ける。
【考案の効果】
【００１３】
本考案の書見台本体は、強化ダンボール紙やアクリル板など軽くて強度のある素材で作られ、折畳み式となっているので気軽に鞄の中に折畳んで収納して、図書館や旅先へ持って行って使える。
【００１４】
本考案の書見台では見開いたページが閉じられないように留める移動自在バインダー（１３）を使うので、両手を自由にして、参考書を手に取ったり辞書を引いたりあるいは筆記しながらでも楽に読書できる。
【００１５】
支持板（３）内の嵌挿突起部１（８）を書見板（１）内の三つの切り欠き部のいずれかの切り欠き部１（４）に嵌挿して固定させることにより、書見板（１）の傾斜角度を３段階に調節できる。
【考案を実施するための最良の形態】
【００１６】
図１は全開した一枚板の平面図（組立てたときの書見台の内側の面となる。）、図２はその右側面図である。（底面図は平面図に同じ。）
【００１７】
図２の書見板（１）を中央の折り曲げ部１（１４）で右へ折り曲げ自在の構造にし、支持板（３）を折り曲げ部２（１５）で左へ折り曲げ自在の構造にする。
【００１８】
図３は、図１に示す書見板（１）をその中央の折り曲げ部１（１４）で右へ折って畳んだ右側面図であり、図４はその斜視図である。
【００１９】
上記００１７でそれぞれの方向へ折り曲げて、支持板（３）内の嵌挿突起部１（８）を書見板（１）内の切り欠き部１(４)の一つに嵌挿する。
【００２０】
図４に示す書見板(１)内の書載台(１０)を折り曲げ部３（１６）で下へ折り曲げ、さらに書載台の支持板（１１）を折り曲げ部４（１７）で下へ折り曲げて、書載台の支持板（１１）内の嵌挿突起部２（９）を書見板(１)内の切り欠き部２（５）に嵌挿して書載台（１０）を書見板（１）に直角に固定する。
【００２１】
上記００１９から００２０に記載の手順で折り曲げたり挿入して立体的な書見台とし、以下の図はいずれも組立て後の書見台の図で、図５は斜視図、図６は正面図、図７は右側面図、図８は背面図である。
【実施例１】
【００２２】
図９は、本考案書見台に文庫本を載せたときの斜視図で、書見板（１）の下方部に書見板（１）と直角に折畳まれ固定された書載台(１０)の上に文庫本を載せ、そこで左右に見開いた本のページ部（１２）が閉じられないように押さえるための用具である移動自在バインダー（１３）を使って見開いた本のページ部（１２）を書見板（１）に留めて書見するときの実施例であり、書見板（１）の丈を３０センチメートルとしていることから、文庫本は言うに及ばず、A５判の教科書や学術書はもちろんのことB５判の「ジュリスト」や週刊誌などまでに利用できる。
【図面の簡単な説明】
【００２３】
【図１】一枚板の平面図（組立てたときの書見台の内側の面）
【図２】一枚板の右側面図
【図３】一枚板を折り上げ２枚に畳んだときの右側面図
【図４】一枚板を折り上げ２枚に畳んだときの斜視図
【図５】組み立てた書見台の斜視図
【図６】組み立てた書見台の正面図
【図７】組み立てた書見台の右側面図
【図８】組み立てた書見台の背面図
【図９】組み立てた書見台に文庫本を載せて左右に見開き、移動自在バインダーで留めた斜視図
【図１０】図１に示す一枚板を中央折り曲げ部１で折って２枚に折畳んだときの底面図で、基板と支持板の空間部に移動自在バインダーが収納されている図
【図１１】携帯時に折畳まれていた２枚の板を書見台へ組立てる方法を示す斜視図
【符号の説明】
【００２４】
（１）書見板
（２）基板
（３）支持板
（４）切り欠き部１
（５）切り欠き部２
（６）切り欠き部３
（７）切り欠き部４
（８）嵌挿突起部１
（９）嵌挿突起部２
（１０）書載台
（１１）書載台の支持板
（１２）本のページ部
（１３）移動自在バインダー
（１４）折り曲げ部１
（１５）折り曲げ部２
（１６）折り曲げ部３
（１７）折り曲げ部４
（１８）切断部
（１９）移動自在バインダー収納空間部
【図１】
0003165771.tif 000003
【図２】
0003165771.tif 000004
【図３】
0003165771.tif 000005
【図４】
0003165771.tif 000006
【図５】
0003165771.tif 000007
【図６】
0003165771.tif 000008
【図７】
0003165771.tif 000009
【図８】
0003165771.tif 000010
【図９】
0003165771.tif 000011
【図１０】
0003165771.tif 000012
【図１１】
0003165771.tif 000013
【手続補正書】
【提出日】平成22年12月16日(2010.12.16)
【手続補正１】
【補正対象書類名】明細書
【補正対象項目名】００２２
【補正方法】変更
【補正の内容】
【００２２】
図９は、本考案書見台に文庫本を載せたときの斜視図で、書見板（１）の下方部に書見板（１）と直角に折畳まれ固定された書載台(１０)の上に文庫本を載せ、そこで左右に見開いた本のページ部（１２）が閉じられないように押さえるための用具である移動自在バインダー（１３）を使って見開いた本のページ部（１２）を書見板（１）に留めて書見するときの実施例であり、書見板（１）の丈を３０センチメートルとしていることから、文庫本は言うに及ばず、A５判の教科書や学術書はもちろんのことB５判の週刊誌などまでに利用できる。